(57)【要約】【課題】可撓止水部材に高水圧がかかる場合や軸方向の引抜き力が加わる場合でも止水を維持することができる可撓止水継手を提供する。【解決手段】可撓止水継手（１）は、１対の相対向するボックスカルバート（２、２’）の端部に跨って配設される。可撓止水継手（１）は、ゴム・合成樹脂等の可撓性材料からなる短筒状に形成され、軸方向中央部に形成された膨出部（４ａ）とその軸方向両側に形成された固定部（４ｂ）を有する可撓止水部材（４）と、この固定部（４ｂ）をボックスカルパート（２、２’）の端部に固定するために使用され、押え板軸方向に所定間隔で複数のボルト孔（６ａ）が形成された押え板（６、６’）を備える。押え板（６、６’）は、その幅方向においてボルト孔（６ａ、６ａ’）の両側に押え板の軸方向に延長する突条（８）を備える。【選択図】      図１
2004353225.tif 000002
【特許請求の範囲】
【請求項１】
１対の相対向する中空構造物の端部に跨って配設され、ゴム・合成樹脂等の可撓性材料からなる短筒状に形成され、軸方向中央部に形成された膨出部とその軸方向両側に形成された固定部を有する可撓止水部材と、
該可撓止水部材の固定部を該構造物の端部に固定するために使用され、押え板軸方向に所定間隔で複数のボルト孔が形成された押え板であって、押え板幅方向においてボルト孔の両側に押え板の軸方向に延長する突条を備える押え板とを備えることを特徴とする可撓止水継手。
【請求項２】
該押え板は複数の押え板部分を該可撓止水部材の固定部上に環状に配置してなり、隣合う押え板部分の対向する両端部と該可撓止水部材との間には、押え板幅方向の長さが該押え板部分の両突条の間の間隔よりも小さいシムプレートが配設されていることを特徴とする請求項１記載の可撓止水継手。
【請求項３】
該可撓止水部材には補強布が埋設されていることを特徴とする請求項１または２記載の可撓止水継手。
【請求項４】
１対の相対向する中空構造物の端部に跨って配設され、ゴム・合成樹脂等の可撓性材料からなる短筒状に形成され、軸方向中央部に形成された膨出部とその軸方向両側に形成された固定部を有する可撓止水部材を備える可撓止水継手の該可撓止水部材の固定部を該構造物端部に固定するために使用され、押え板軸方向に所定間隔で複数のボルト孔が形成された押え板であって、押え板幅方向においてボルト孔の両側に押え板の軸方向に延長する突条を備えことを特徴とする可撓止水継手用押え板。
【請求項５】
該突条は丸鋼を押え板に溶接してなることを特徴とする請求項４記載の可撓止水継手用押え板。
【請求項６】
該突条は押え板と一体的に成形してなることを特徴とする請求項４記載の可撓止水継手用押え板。
【発明の詳細な説明】
【０００１】
【発明の属する技術分野】
本発明は、上下水道、共同溝、洞道等の暗渠その他地下道等中空構造物を接続するための可撓止水継手およびこの継手を構造物に固定するために使用する押え板に関する。
【０００２】
【従来の技術】
従来この種の可撓止水継手においては、１対の相対向する暗渠等中空構造物の端部に跨って配設され、ゴム・合成樹脂等の可撓性材料からなる短筒状に形成され、軸方向中央部に形成された膨出部とその軸方向両側に形成された固定部を有する可撓止水部材を備える。可撓止水継手は可撓止水部材の固定部を金属性の押え板を介して構造物端部にボルト止めすることにより固定される。
【０００３】
この種の可撓止水継手においては、可撓止水部材の固定部と構造物の表面との間の止水のために、通常可撓止水部材の固定部の構造物と接触する面に可撓止水部材の周方向に延長する１本または複数本の突条が可撓止水部材の固定部と一体的に成形されている。たとえば、特許文献１に示される可撓止水継手においては、可撓止水部材の軸方向断面を示す図７に示すように、可撓止水部材ａの固定部ｂ、ｂのボルト孔ｃの継手軸方向両側において構造物の表面に接触する側にそれぞれ突条ｄが形成されており、この可撓止水部材ａの固定部ｂを押え板（図示せず）を介してボルト（図示せず）によって構造物に締付けるようにして取付けたときこれらの突条ｄが構造物表面に対して押し潰されることによって可撓止水部材ａと構造物表面間の止水を維持するようにしている。
【０００４】
【特許文献１】
特許第２８５４５６２号公報
【０００５】
【発明が解決しようとする課題】
上記従来の可撓止水継手の固定部における止水構造においては、地震等により継手が接続する１対の構造物が相互に離間する方向に移動した場合に、可撓止水部材ａの固定部ｂが継手軸方向に引張られて伸びる結果その厚みが薄くなり、突条ｄにおける面圧も減少するため突条による止水効果が薄れるという難点を有する。また可撓止水部材のゴムが流動するためにボルト孔ｃも拡径しこの拡径したボルト孔ｃから漏水するおそれも生じる。また、通常の使用時においても、可撓止水部材ａにかかる水圧が比較的に低い場合は止水を維持できるが、水圧が１ｋｇｆ／ｃｍ２以上になると水圧に押されて可撓止水部材ａのゴムが伸びて上記と同様の理由により止水が維持できなくなるという問題がある。
【０００６】
本発明は、上記従来の可撓止水継手の固定部における止水構造の問題点にかんがみなされたものであって、可撓止水部材に高水圧がかかる場合でも、また可撓止水部材に軸方向の引抜き力が加わった場合でも可撓止水部材の固定部における止水を維持することができる可撓止水継手を提供しようとするものである。
【０００７】
【課題を解決するための手段】
上記本発明の目的を達成する可撓止水継手は、１対の相対向する中空構造物の端部に跨って配設され、ゴム・合成樹脂等の可撓性材料からなる短筒状に形成され、軸方向中央部に形成された膨出部とその軸方向両側に形成された固定部を有する可撓止水部材と、該可撓止水部材の固定部を該構造物の端部に固定するために使用され、押え板軸方向に所定間隔で複数のボルト孔が形成された押え板であって、押え板幅方向においてボルト孔の両側に押え板の軸方向に延長する突条を備える押え板とを備えることを特徴とする。
【０００８】
本発明によれば、押え板幅方向においてボルト孔の両側に押え板の軸方向に延長する突条を設けることにより、この押え板を介して可撓止水部材を構造物にボルト止めすると、押え板の突条が可撓止水部材の中に食い込む結果その部分の部材の肉が押え板の突条の両側に盛り上がって１種の突条となり、押え板幅方向（可撓止水部材の軸方向）において押え板の突条の両側に２本の可撓止水部材突条が形成されることになり、それによって可撓止水部材表面における面圧を高め止水効果を挙げることができる。この構成においては、可撓止水部材が高い水圧を受けた場合でも、押え板の突条の存在により、可撓止水部材を構成するゴム等の材料が可撓止水部材の軸方向に流動して固定部が肉薄になることが防止され、止水を維持することができる。また、構造物の間の相対変位等により可撓止水部材に軸方向の引抜き力（引張り力）が加わった時でも、押え板の突条の存在により、可撓止水部材の材料の流動により固定部が肉薄になることが防止され、止水を維持することができる。
【０００９】
本発明の１側面においては、該押え板は複数の押え板部分を該可撓止水部材の固定部上に環状に配置してなり、隣合う押え板部分の対向する両端部と該可撓止水部材との間には、押え板幅方向の長さが該押え板部分の両突条の間の間隔よりも小さいシムプレートが配設されていることを特徴とする。
【００１０】
隣合う押え板部分の対向する両端部と該可撓止水部材との間にシムプレートを配設することにより、押え板部分の継ぎ目にもボルト止めによる締付け力が及び、これによって止水面の面圧に連続性を持たせることができ、押え板部分の継ぎ目からの漏水を完全に防止することができる。
【００１１】
本発明の１側面においては、該可撓止水部材には補強布が埋設されていることを特徴とする。補強布を埋設することにより、可撓止水部材の圧縮剛性を高め、可撓止水部材を構成する材料が高水圧や軸方向の引抜き力の作用により流動することをさらに防止することができ、止水面における面圧を維持する効果をさらに高めることができる。
【００１２】
本発明の１側面においては、１対の相対向する中空構造物の端部に跨って配設され、ゴム・合成樹脂等の可撓性材料からなる短筒状に形成され、軸方向中央部に形成された膨出部とその軸方向両側に形成された固定部を有する可撓止水部材を備える可撓止水継手の該可撓止水部材の固定部を該構造物端部に固定するために使用され、押え板軸方向に所定間隔で複数のボルト孔が形成された押え板であって、押え板幅方向においてボルト孔の両側に押え板の軸方向に延長する突条を備えることを特徴とする可撓止水継手用押え板が提供される。
【００１３】
本発明の１態様においては、該突条は丸鋼を押え板に溶接してなることを特徴とする。
【００１４】
本発明の他の態様においては、該突条は押え板と一体的に成形してなることを特徴とする。
【００１５】
【発明の実施の形態】
以下添付図面を参照して本発明の実施の形態について説明する。
図１〜図４は本発明をボックスカルバートに適用した実施形態を示すもので、図１は図２のＩ−Ｉ線断面図、図２はボックスカルバートの斜視図、図３は押え板の部分斜視図、図４は押え板を可撓止水部材に装着した状態を示す部分断面図である。
【００１６】
図２において、１は本発明にかかる可撓止水継手を示し、２、２’はボックスカルバートである。この１対のボックスカルバート２、２’の対向端部同士は本発明にかかる継手１により接続される。
【００１７】
図１に示すように、ボックスカルバート２、２’の対向端部の内周面側の周縁には段差部３、３’が形成されている。なお、符号１５はボックスカルバート２、２’間の目地に充填されたスポンジ等の弾性材からなる充填材を示す。
【００１８】
段差部３、３’に跨って、ゴム・合成樹脂等の弾性材からなる短筒状に形成された可撓止水部材４が配設されている。設置時の状態において、可撓止水部材４は継手軸方向中央部に形成された内周側に膨出する膨出部４ａと、その軸方向両側に形成された平坦な固定部４ｂ、４ｂを備える。
【００１９】
可撓止水部材４には、図４に示すように、可撓止水部材４の固定部４ｂ、４ｂの圧縮剛性を高めるために複数層の補強布９が埋設されている。
【００２０】
ボックスカルバート２、２’の段差部３、３’の外周部３ａ、３ａ’にはアンカー５、５’が埋設されており、可撓止水部材４は固定部４ｂ、４ｂの内周面上に配設された押え板６、６’に穿設されたボルト孔６ａ、６ａ’および固定部４ｂ、４ｂに穿設されたボルト孔４ｃ、４ｃに挿入され、アンカー５、５’の頭部の袋ナット５ａ、５ａ’に螺合するボルト７、７’により、アンカー５、５’に固定されている。
【００２１】
可撓止水部材４の固定部４ｂ、４ｂを段差部３、３’に固定するための押え板６、６’は、継手の周方向に複数の部分に分割されており、鋼板等の金属板からなるものである。すなわち、本実施形態において、押え板６、６’は複数の押え板部分を可撓止水部材４の固定部４ｂ上に環状に配置してなるものである。なお、押え板６、６’は同一構造であるので、以下の説明においては、押え板６についてのみ説明する。図３、図４に拡大して示すように、押え板６は、押え板の長手方向において所定間隔で中央部に複数のボルト孔６ａが穿設されており、押え板の幅方向においてボルト孔６ａの両側の押え板端部に押え板６の軸方向に延長する突状８、８を備えている。本実施形態において、突状８は丸鋼を押え板６の外周側に溶接することにより形成されている。
【００２２】
次にこの押え板６の作用について説明する。
押え板６を可撓止水部材４の固定部４ｂ上に配置し、ボルト７をボルト孔６ａ、４ｃに挿通しアンカー５の袋ナット５ａに螺合させて図４中矢印Ｘ方向に締付けると、押え板６の突条８、８が固定部４ｂの中に食い込む結果、その部分の部材の肉が突条８、８の両側に盛り上がって、一種の突条を形成し、押え板幅方向（可撓止水部材４の軸方向）において、押え板６の両側に２本の可撓止水部材突条が形成されることになり、それによって固定部４ｂの表面における面圧を高め止水効果を挙げることができる。この構成においては、可撓止水部材４が高い水圧を受けた場合でも、押え板６の突条８の存在により、可撓止水部材４を構成するゴム等の材料が可撓止水部材４の軸方向に流動して固定部４ｂが肉薄になることが防止され、止水を維持することができる。また、ボックスカルバート２、２’間の相対変位等により可撓止水部材４に図４中矢印Ｙで示す軸方向の引抜き力（引張り力）が加わった時でも、押え板６の突条８の存在により、可撓止水部材４の材料の流動により固定部４ｂが肉薄になることが防止され、止水を維持することができる。
【００２３】
図５は本発明の継手に使用する押え板の他の実施形態を示す部分斜視図である。この実施形態において、押え板６の突条１０、１０は押え板６の幅方向両端部から外周側に突出するようにして押え板６と一体的に形成されている。
【００２４】
図６は本発明の継手の他の実施形態を示すもので、（ａ）は部分平面図、（ｂ）は部分側断面図である。
【００２５】
この実施形態においては、押え板６は複数の押え板部分６ｂ、６ｂを可撓止水部材４の固定部４ｂ上に環状に配置してなり、隣合う押え板部分６ｂ、６ｂの対向する両端部と可撓止水部材４の固定部４ｂとの間には、押え板幅方向の長さが該押え板部分６ｂの両突条８、８の間の間隔よりも小さいシムプレート１１が配設されている。
【００２６】
この実施形態においては、隣合う押え板部分６ｂ、６ｂの対向する両端部と可撓止水部材４の固定部４ｂとの間にシムプレート１１を配設することにより、押え板部分の継ぎ目１２にもボルト止めによる締付け力が及び、これによって止水面の面圧に連続性を持たせることができ、押え板部分６ｂ、６ｂの継ぎ目１２からの漏水を完全に防止することができる。
【００２７】
可撓止水部材４の膨出部４ａの形状は図１に示すものに限らず、複数の膨出部からなるもの等種々の変更が可能である。また、接続される中空構造物もボックスカルバートに限らず、他の暗渠その他地下道等種々の中空構造物に適用することができる。
【００２８】
また、突条８、１０の断面形状も図示の円形断面、矩形断面に限らず、種々の断面形状のものが使用可能である。
【００２９】
【発明の効果】
以上述べたように、本発明によれば、押え板幅方向においてボルト孔の両側に押え板の軸方向に延長する突条を設けることにより、この押え板を介して可撓止水部材を構造物にボルト止めすると、押え板の突条が可撓止水部材の中に食い込む結果その部分の部材の肉が押え板の各突条の両側に盛り上がって、押え板幅方向（可撓止水部材の軸方向）において押え板の突条の両側に２本の可撓止水部材突条が形成されることになり、それによって可撓止水部材表面における面圧を高め止水効果を挙げることができる。この構成によれば、可撓止水部材が高い水圧を受けた場合でも、押え板の突条の存在により、可撓止水部材を構成するゴム等の材料が可撓止水部材の軸方向に流動して固定部が肉薄になることが防止され、止水を維持することができる。また、構造物の間の相対変位等により可撓止水部材に軸方向の引抜き力（引張り力）が加わったときでも、押え板の突条の存在により、可撓止水部材の材料の流動によって固定部が肉薄になることが防止され、止水を維持することができる。
【００３０】
また、本発明の１側面によれば、押え板は複数の押え板部分を可撓止水部材の固定部上に環状に配置してなり、隣合う押え板部分の対向する両端部と可撓止水部材との間にシムプレートを配設することにより、押え板部分の継ぎ目にもボルト止めによる締付け力が及び、これによって止水面の面圧に連続性を持たせることができ、押え板部分の継ぎ目からの漏水を完全に防止することができる。
【００３１】
また、本発明の１側面によれば、可撓止水部材には補強布が埋設することにより、可撓止水部材の圧縮剛性を高め、可撓止水部材を構成する材料が高水圧や軸方向の引抜き力の作用により流れることをさらに防止することができ、止水面における面圧を維持する効果をさらに高めることができる。
【図面の簡単な説明】
【図１】本発明にかかる可撓止水継手の１実施形態を示す図で、図２のＩ−Ｉ線断面図である。
【図２】同継手が適用されるボックスカルバートの斜視図である。
【図３】押え板の部分斜視図である。
【図４】押え板を可撓止水部材に装着した状態を示す部分断面図である。
【図５】押え板の他の実施形態を示す部分斜視図である。
【図６】本発明の他の実施形態を示す図で、（ａ）は部分平面図、（ｂ）は側断面図である。
【図７】従来の可撓止水部材の止水構造を示す断面図である。
【符号の説明】
１        可撓止水継手
２、２’  ボックスカルバート
３、３’  段差部
４        可撓止水部材
５、５’  アンカー
６、６’  押え板
８、１０  突条
１１      シムプレート
【図１】
2004353225.tif 000003
【図２】
2004353225.tif 000004
【図３】
2004353225.tif 000005
【図４】
2004353225.tif 000006
【図５】
2004353225.tif 000007
【図６】
2004353225.tif 000008
【図７】
2004353225.tif 000009